(57)【特許請求の範囲】
【請求項１】
対象室への給気風量を設定風量に調整する定風量装置を設けるとともに、
対象室からの排気路に装備した室圧調整ダンパの開度を調整して対象室からの排気風量を調整することで対象室の室圧を設定室圧に調整する室圧制御手段を設けた室圧制御システムであって、
前記室圧調整ダンパの検出開度に基づいて前記定風量装置の設定風量を変更することで、前記室圧制御手段による開度調整において前記室圧調整ダンパの開度が設定適正開度範囲内に調整される状態にする開度状態制御手段を設けてある室圧制御システム。
【請求項２】
前記室圧調整ダンパの検出開度に基づき対象室に対する排気ファンの出力を調整して前記排気路の風路圧を調整することで、前記室圧制御手段による開度調整において前記室圧調整ダンパの開度が設定適正開度範囲内に調整される状態にする風路圧制御手段を、前記開度状態制御手段とともに設けてある請求項１記載の室圧制御システム。
【請求項３】
対象室からの排気風量を設定風量に調整する定風量装置を設けるとともに、
対象室への給気路に装備した室圧調整ダンパの開度を調整して対象室への給気風量を調整することで対象室の室圧を設定室圧に調整する室圧制御手段を設けた室圧制御システムであって、
前記室圧調整ダンパの検出開度に基づいて前記定風量装置の設定風量を変更することで、前記室圧制御手段による開度調整において前記室圧調整ダンパの開度が設定適正開度範囲内に調整される状態にする開度状態制御手段を設けてある室圧制御システム。
【請求項４】
前記室圧調整ダンパの検出開度に基づき対象室に対する給気ファンの出力を調整して前記給気路の風路圧を調整することで、前記室圧制御手段による開度調整において前記室圧調整ダンパの開度が設定適正開度範囲内に調整される状態にする風路圧制御手段を、前記開度状態制御手段とともに設けてある請求項３記載の室圧制御システム。
【請求項５】
前記定風量装置及び前記室圧調整ダンパにより風量調整される対象室への給気及び対象室からの排気とは別に、
対象室へ所定風量を給気する副給気手段、及び、この副給気手段による給気風量と同風量だけ対象室から排気する副排気手段を設け、
これら副給気手段と副排気手段とを同期させて運転及び停止する連動手段を設けてある請求項１〜４のいずれか１項に記載の室圧制御システム。
【請求項６】
前記開度状態制御手段は、
前記室圧調整ダンパの検出開度が設定適正開度範囲の上限値より大きいとき、前記定風量装置の設定風量を設定変更風量だけ減少側へ変更し、かつ、前記室圧調整ダンパの検出開度が設定適正開度範囲の下限値より小さいとき、前記定風量装置の設定風量を設定変更風量だけ増大側へ変更する設定変更制御を、設定インターバル時間ごとに繰り返して実行する構成にしてある請求項１〜５のいずれか１項に記載の室圧制御システム。
【請求項７】
前記開度状態制御手段は、
前記室圧調整ダンパの検出開度が設定適正開度範囲の上限値より大きいとき、それら検出開度と上限値との差に応じた変更風量だけ前記定風量装置の設定風量を減少側へ連続的に変更し、
かつ、前記室圧調整ダンパの検出開度が設定適正開度範囲の下限値より小さいとき、それら検出開度と下限値との差に応じた変更風量だけ前記定風量装置の設定風量を増大側へ連続的に変更する構成にしてある請求項１〜５のいずれか１項に記載の室圧制御システム。
【請求項８】
対象室における総給排気風量差と前記室圧調整ダンパの開度との相関を記憶する記憶手段を装備し、
前記開度状態調整手段は、この記憶手段が記憶する前記相関において前記室圧調整ダンパの検出開度に対応する前記総給排気風量差と等しい風量を前記変更風量とする構成にしてある請求項７記載の室圧制御システム。
【請求項９】
請求項８に記載した室圧制御システムの運転方法であって、
前記定風量装置及び前記室圧調整ダンパにより風量調整される対象室への給気及び対象室からの排気とは別に、対象室へ所定風量を給気する副給気手段又は対象室から所定風量を排気する副排気手段を備えるシステム構成において、
これら副給気手段又は副排気手段を運転したときに対象室で生じる総給排気風量差及びその時の前記室圧調整ダンパの開度を測定し、
その測定結果に基づき求めた対象室における総給排気風量差と前記室圧調整ダンパの開度との相関を前記記憶手段に記憶させておく室圧制御システムの運転方法。
【発明の詳細な説明】
【技術分野】
【０００１】
本発明は給気路及び排気路に接続した対象室の室圧を設定室圧に調整する室圧制御システムに関する。
【０００２】
詳しくは、対象室への給気風量を設定風量に調整する定風量装置を設けるとともに、対象室からの排気路に装備した室圧調整ダンパの開度を調整して対象室からの排気風量を調整することで対象室の室圧を設定室圧に調整する室圧制御手段を設けた室圧制御システムに関する。
【０００３】
また、これとは給気側と排気側とを入れ換えて、対象室からの排気風量を設定風量に調整する定風量装置を設けるとともに、対象室への給気路に装備した室圧調整ダンパの開度を調整して対象室への給気風量を調整することで対象室の室圧を設定室圧に調整する室圧制御手段を設けた室圧制御システムに関する。
【背景技術】
【０００４】
この種の室圧制御システムとして、特許文献１に代表されるように（図１参照）、室圧制御手段ｐＣによる室圧調整ダンパＶｐの開度調整で対象室１の室圧ｐを設定室圧ｐｓに調整するのに併行して、室圧調整ダンパＶｐの検出開度ｂに基づきファンＦｒの出力を調整して室圧調整ダンパ介装側風路３の風路圧ｆｒを調整することで、室圧制御手段ｐＣによる開度調整において室圧調整ダンパＶｐの開度ｂが設定適正開度範囲Ｙ内に調整されるようにしたものがある。
【０００５】
即ち、このように室圧調整ダンパＶｐの開度ｂが設定適正開度範囲Ｙ内に調整されるようにすることで、室圧調整ダンパＶｐの開度調整による室圧調整が良好に行なわれるようにし、これにより、対象室１の室圧ｐが精度良く安定的に設定室圧ｐｓに調整されるようにしている。
【先行技術文献】
【特許文献】
【０００６】
【特許文献１】特開２０００−３１４５４５号公報
【発明の概要】
【発明が解決しようとする課題】
【０００７】
しかし、上記の従来システムの如く（図１参照）、ファンＦｒの出力調整による風路圧ｆｒの調整で室圧調整ダンパＶｐの開度ｂが設定適正開度範囲Ｙ内に調整されるようにするのでは、何らかの原因による室圧変動で室圧調整ダンパＶｐの開度ｂが室圧制御手段ｐＣにより大きく調整されて設定適正開度範囲Ｙを逸脱することに対して迅速に応答良く対応することができず、室圧調整ダンパＶｐが一時的にせよ１００％開度（全開）又は０％開度（全閉）に振り切った状態や、設定適正開度範囲Ｙから大きく外れた開度領域で動作する状態になり、そのことで、室圧調整ダンパＶｐの開度調整によるそれ以上の室圧調整が不能ないし不良になって、室圧差を維持すべき対象室１と他室との間において室圧逆転を招くなどの問題があった。
【０００８】
また、給気路２及び排気路３に対して複数の対象室１が並列的に接続される場合では、１つの対象室１での室圧変動で室圧調整ダンパＶｐの開度ｂが大きく調整されて設定適正開度範囲Ｙを逸脱することに対しファンＦｒの出力が調整されて風路圧ｆｒが調整されることが他の対象室１での新たな室圧変動の原因になるなど、ファンＦｒの出力調整による風路圧調整の影響が複数の対象室１に対して直接的に及び、そのことで各対象室１の室圧ｐが却って不安定になるなどの問題もあった。
【０００９】
この実情に鑑み、本発明の主たる課題は、合理的な方式をもって室圧調整ダンパの開度が設定適正開度範囲内に調整されるようにすることで、上記の如き問題を効果的に解消する点にある。
【課題を解決するための手段】
【００１０】
本発明の第１特徴構成は室圧制御システムに係り、その特徴は、
対象室への給気風量を設定風量に調整する定風量装置を設けるとともに、
対象室からの排気路に装備した室圧調整ダンパの開度を調整して対象室からの排気風量を調整することで対象室の室圧を設定室圧に調整する室圧制御手段を設けた室圧制御システムであって、
前記室圧調整ダンパの検出開度に基づいて前記定風量装置の設定風量を変更することで、前記室圧制御手段による開度調整において前記室圧調整ダンパの開度が設定適正開度範囲内に調整される状態にする開度状態制御手段を設けてある点にある。
【００１１】
つまり（図１参照）、上記定風量装置ｑＣの設定風量ｑｓｓを増大側に変更して対象室１に対する給気風量ｑｓを増大側（即ち、室圧上昇側）に変化させれば、室圧制御手段ｐＣは対象室１からの排気風量ｑｒも増大させて対象室１の室圧ｐを設定室圧ｐｓに調整しようと、室圧調整ダンパＶｐの開度ｂを速やかに増大側（即ち、室圧低下側）へ変更する。
【００１２】
また逆に、上記定風量装置ｑＣの設定風量ｑｓｓを減少側に変更して対象室１に対する給気風量ｑｓを減少側（即ち、室圧低下側）に変化させれば、室圧制御手段ｐＣは対象室１からの排気風量ｑｒも減少させて対象室１の室圧ｐを設定室圧ｐｓに調整しようと、室圧調整ダンパＶｐの開度ｂを速やかに減少側（即ち、室圧上昇側）へ変更する。
【００１３】
このことを利用して、上記開度状態制御手段ｂＣは、室圧制御手段ｐＣによる開度調整において室圧調整ダンパＶｐの開度ｂが設定適正開度範囲Ｙ内に調整されるように、室圧調整ダンパＶｐの検出開度ｂに基づいて定風量装置ｑＣの設定風量ｑｓｓを変更する。
【００１４】
即ち、このように定風量装置ｑＣの設定風量ｑｓｓを変更して室圧調整ダンパＶｐの開度ｂが設定適正開度範囲Ｙ内に調整されるようにすることで、先述した従来システムの如くファンＦｒの出力調整による風路圧ｆｒの調整で室圧調整ダンパＶｐの開度ｂが設定適正開度範囲Ｙ内に調整されるようにするのに比べ、何らかの原因による室圧変動で室圧調整ダンパＶｐの開度ｂが室圧制御手段ｐＣにより大きく調整されて設定適正開度範囲Ｙを逸脱することに対しても、遅れなく応答良く対応して室圧調整ダンパＶｐの開度ｂを速やかに設定適正開度範囲Ｙ側に復帰させることができる。
【００１５】
そして、この速やかな復帰により、室圧調整ダンパＶｐが１００％開度（全開）又は０％開度（全閉）に振り切った状態や、設定適正開度範囲Ｙから大きく外れた開度領域で動作する状態に陥ることを効果的に回避することができ、これにより、先述の如き室圧逆転などの問題を一層効果的に防止することができる。
【００１６】
また、定風量装置ｑＣの設定風量ｑｓｓを変更することの直接的な影響は対応の対象室１に対してのみ及ぶから、給気路２及び排気路３に対して並列的に複数の対象室１を接続する場合において、１つの対象室１に対する定風量装置ｑＣの設定風量ｑｓｓを変更することが他の対象室１での新たな室圧変動の原因になることもなく、この点からも、先述の従来システムに比べ各対象室１の室圧ｐを一層安定的に設定室圧ｐｓに保つことができる。
【００１７】
本発明の第２特徴構成は、第１特徴構成の実施において、
前記室圧調整ダンパの検出開度に基づき対象室に対する排気ファンの出力を調整して前記排気路の風路圧を調整することで、前記室圧制御手段による開度調整において前記室圧調整ダンパの開度が設定適正開度範囲内に調整される状態にする風路圧制御手段を、前記開度状態制御手段とともに設けてある点にある。
【００１８】
この構成によれば（図１参照）、前記した開度状態制御手段ｂＣの調整機能（即ち、定風量装置ｑＣの設定風量ｑｓｓを変更することで室圧調整ダンパＶｐの開度ｂが設定適正開度範囲Ｙ内に調整されるようにする機能）と、上記の風路圧制御手段ｆｒＣの調整機能（即ち、排気ファンＦｒの出力調整により排気路３の風路圧ｆｒを調整することで室圧調整ダンパＶｐの開度ｂ（特に複数の室圧調整ダンパＶｐ全ての開度ｂ）が設定適正開度範囲Ｙ内に調整されるようにする機能）との相乗機能により、室圧変動で設定適正開度範囲Ｙから逸脱した室圧調整ダンパＶｐの開度ｂを一層速やかに設定適正開度範囲Ｙ側に復帰させることができる。
【００１９】
そしてまた、風路圧制御手段ｆｒＣが排気ファンＦｒの出力調整により排気路３の風路圧ｆｒを調整するにしても、開度状態制御手段ｂＣを併用する分、風路圧制御手段ｆｒＣによる風路圧調整の調整幅を小さくすることができて、風路圧制御手段ｆｒＣによる排気路３の風路圧調整が他の対象室１での新たな室圧変動の原因になることも効果的に抑止することができる。
【００２０】
なお、この構成の実施においては、室圧調整ダンパＶｐの開度ｂが設定適正開度範囲Ｙを逸脱することに対する開度状態制御手段ｂＣの動作タイミングと風路圧制御手段ｆｒＣの動作タイミングとの関係を最適化するように、開度状態制御手段ｂＣの動作特性と風路圧制御手段ｆｒＣの動作特性とを予め設定しおくようにしてもよい。
【００２１】
本発明の第３特徴構成は室圧制御システムに係り、その特徴は、
対象室からの排気風量を設定風量に調整する定風量装置を設けるとともに、
対象室への給気路に装備した室圧調整ダンパの開度を調整して対象室への給気風量を調整することで対象室の室圧を設定室圧に調整する室圧制御手段を設けた室圧制御システムであって、
前記室圧調整ダンパの検出開度に基づいて前記定風量装置の設定風量を変更することで、前記室圧制御手段による開度調整において前記室圧調整ダンパの開度が設定適正開度範囲内に調整される状態にする開度状態制御手段を設けてある点にある。
【００２２】
この構成は、第１特徴構成において給気側に装備していた定風量装置ｑＣを排気側に装備するとともに、第１特徴構成において排気側に装備していた室圧調整ダンパＶｐを給気側に装備したものであり、実質的には第１特徴構成と同様の機能を得ることができる。
【００２３】
つまり（図７参照）、上記定風量装置ｑＣの設定風量ｑｒｓを増大側に変更して対象室１からの排気風量ｑｒを増大側（即ち、室圧低下側）に変化させれば、室圧制御手段ｐＣは対象室１への給気風量ｑｓも増大させて対象室１の室圧ｐを設定室圧ｐｓに調整しようと、室圧調整ダンパＶｐの開度ｂを速やかに増大側（即ち、室圧上昇側）へ変更する。
【００２４】
また逆に、上記定風量装置ｑＣの設定風量ｑｒｓを減少側に変更して対象室１からの排気風量ｑｒを減少側（即ち、室圧上昇側）に変化させれば、室圧制御手段ｐＣは対象室１への給気風量ｑｓも減少させて対象室１の室圧ｐを設定室圧ｐｓに調整しようと、室圧調整ダンパＶｐの開度ｂを速やかに減少側（即ち、室圧低下側）へ変更する。
【００２５】
このことを利用して、上記開度状態制御手段ｂＣは、室圧制御手段ｐＣによる開度調整において室圧調整ダンパＶｐの開度ｂが設定適正開度範囲Ｙ内に調整されるように、室圧調整ダンパＶｐの検出開度ｂに基づいて定風量装置ｑＣの設定風量ｑｒｓを変更する。
【００２６】
即ち、このように定風量装置ｑＣの設定風量ｑｒｓを変更して室圧調整ダンパＶｐの開度ｂが設定適正開度範囲Ｙ内に調整されるようにすることで、先述した従来システムの如くファンＦｓ（この場合は給気ファン）の出力調整による風路圧ｆｓの調整で室圧調整ダンパＶｐの開度ｂが設定適正開度範囲Ｙ内に調整されるようにするのに比べ、何らかの原因による室圧変動で室圧調整ダンパＶｐの開度ｂが室圧制御手段ｐＣにより大きく調整されて設定適正開度範囲Ｙを逸脱することに対しても、遅れなく応答良く対応して室圧調整ダンパＶｐの開度ｂを速やかに設定適正開度範囲Ｙ側に復帰させることができる。
【００２７】
そして、この速やかな復帰により、室圧調整ダンパＶｐが１００％開度（全開）又は０％開度（全閉）に振り切った状態や、設定適正開度範囲Ｙから大きく外れた開度領域で動作する状態に陥ることを効果的に回避することができ、これにより、先述の如き室圧逆転などの問題を一層効果的に防止することができる。
【００２８】
また、定風量装置ｑＣの設定風量ｑｒｓを変更することの直接的な影響は対応の対象室１に対してのみ及ぶから、給気路２及び排気路３に対して並列的に複数の対象室１を接続する場合において、１つの対象室１に対する定風量装置ｑＣの設定風量ｑｒｓを変更することが他の対象室１での新たな室圧変動の原因になることもなく、この点からも、先述の従来システムに比べ各対象室１の室圧ｐを一層安定的に設定室圧ｐｓに保つことができる。
【００２９】
本発明の第４特徴構成は、第３特徴構成の実施において、
前記室圧調整ダンパの検出開度に基づき対象室に対する給気ファンの出力を調整して前記給気路の風路圧を調整することで、前記室圧制御手段による開度調整において前記室圧調整ダンパの開度が設定適正開度範囲内に調整される状態にする風路圧制御手段を、前記開度状態制御手段とともに設けてある点にある。
【００３０】
この構成によれば（図７参照）、前記した開度状態制御手段ｂＣの調整機能（即ち、定風量装置ｑＣの設定風量ｑｒｓを変更することで室圧調整ダンパＶｐの開度ｂが設定適正開度範囲Ｙ内に調整されるようにする機能）と、上記の風路圧制御手段ｆｓＣの調整機能（即ち、給気ファンＦｓの出力調整により給気路２の風路圧ｆｓを調整することで室圧調整ダンパＶｐの開度ｂ（特に複数の室圧調整ダンパＶｐ全ての開度ｂ）が設定適正開度範囲Ｙ内に調整されるようにする機能）との相乗機能により、室圧変動で設定適正開度範囲Ｙから逸脱した室圧調整ダンパＶｐの開度ｂを一層速やかに設定適正開度範囲Ｙ側に復帰させることができる。
【００３１】
そしてまた、風路圧制御手段ｆｓＣが給気ファンＦｓの出力調整により給気路２の風路圧ｆｓを調整するにしても、開度状態制御手段ｂＣを併用する分、風路圧制御手段ｆｓＣによる風路圧調整の調整幅を小さくすることができて、風路圧制御手段ｆｓＣによる給気路２の風路圧調整が他の対象室１での新たな室圧変動の原因になることも効果的に抑止することができる。
【００３２】
なお、この構成の実施においては、室圧調整ダンパＶｐの開度ｂが設定適正開度範囲Ｙを逸脱することに対する開度状態制御手段ｂＣの動作タイミングと風路圧制御手段ｆｓＣの動作タイミングとの関係を最適化するように、開度状態制御手段ｂＣの動作特性と風路圧制御手段ｆｓＣの動作特性とを予め設定しおくようにしてもよい。
【００３３】
本発明の第５特徴構成は、第１〜第４特徴構成のいずれかの実施において、
前記定風量装置及び前記室圧調整ダンパにより風量調整される対象室への給気及び対象室からの排気とは別に、
対象室へ所定風量を給気する副給気手段、及び、この副給気手段による給気風量と同風量だけ対象室から排気する副排気手段を設け、
これら副給気手段と副排気手段とを同期させて運転及び停止する連動手段を設けてある点にある。
【００３４】
この構成によれば（図１参照）、給排気風量ｑｓ′，ｑｒ′が互いに等しい副給気手段ｋｓと副排気手段ｋｒとが連動手段１０により同期して運転及び停止されることで、それら副給気手段ｋｓや副排気手段ｋｒの運転に原因する対象室１での室圧変動が防止される。
【００３５】
従って、このような連動手段１０による室圧変動防止機能と、前記した開度状態制御手段ｂＣの調整機能（即ち、定風量装置ｑＣの設定風量ｑｓｓ，ｑｒｓを変更することで室圧調整ダンパＶｐの開度ｂが設定適正開度範囲Ｙ内に調整されるようにする機能）との協働により、対象室１の室圧ｐを一層安定的に設定室圧ｐｓに保つことができる。
【００３６】
そしてまた、製作誤差などに原因して副給気手段ｋｓによる給気風量ｑｓ′と副排気手段ｋｒによる排気風量ｑｒ′とに誤差Δｑｓｒ′がある場合や、停止状態にある副給気手段ｋｓでの漏洩給気風量ｑｓ″と停止状態にある副排気手段ｋｒでの漏洩排気風量ｑｒ″とに誤差Δｑｓｒ″がある場合において、それらの誤差Δｑｓｒ′、Δｑｓｒ″が原因で副給気手段ｋｓ及び副排気手段ｋｒの運転時や停止時に室圧変動が生じて室圧調整ダンパＶｐが設定適正開度範囲Ｙを逸脱する状態が生じるとしても、それら誤差Δｑｓｒ′、Δｑｓｒ″を開度状態制御手段ｂＣによる定風量装置ｑＣの設定風量変更をもって吸収する形態で、開度状態制御手段ｂＣの調整機能により室圧調整ダンパＶｐを設定適正開度範囲Ｙ側へ速やかに復帰させることができ、この点からも、対象室１の室圧ｐを一層安定的に設定室圧ｐｓに保つことができる。
【００３７】
なお、この構成の実施において、副給気手段ｋｓによる給気風量ｑｓ′や副排気手段ｋｒによる排気風量ｑｒ′を変更可能にする場合、それら副給気手段ｋｓによる給気風量ｑｓ′と副排気手段ｋｒによる排気風量ｑｒ′とを、それらが等しい関係を保つように連動手段１０により同期させて変更させるようにすればよい。
【００３８】
また、この構成の実施において、副給気手段ｋｓと副排気手段ｋｒと連動手段１０とからなる副給排システムＫは、１つの対象室１に対して１つの副給排システムＫだけを装備するのに限らず、１つの対象室１に対して複数の副給排システムＫを装備するようにしてもよい。
【００３９】
各副給排システムＫは、所謂ドラフトチャンバ、クリーンブース、クリーンベンチなどの局所換気装置を初め、どのような用途のものであってもよい。
【００４０】
本発明の第６特徴構成は、第１〜第５特徴構成のいずれかの実施において、
前記開度状態制御手段は、
前記室圧調整ダンパの検出開度が設定適正開度範囲の上限値より大きいとき、前記定風量装置の設定風量を設定変更風量だけ減少側へ変更し、かつ、前記室圧調整ダンパの検出開度が設定適正開度範囲の下限値より小さいとき、前記定風量装置の設定風量を設定変更風量だけ増大側へ変更する設定変更制御を、設定インターバル時間ごとに繰り返して実行する構成にしてある点にある。
【００４１】
この構成によれば（図１参照）、何らかの原因で室圧変動が生じて室圧制御手段ｐＣによる開度調整で室圧調整ダンパＶｐの開度ｂが設定適正開度範囲Ｙを逸脱することに対し、上記設定変更制御の繰り返しにより、室圧調整ダンパＶｐの開度ｂを上記設定変更風量Δｑｓｓに相当する開度分ずつ復帰側へ変化させる形態で、最終的に室圧調整ダンパＶｐの開度ｂを室圧制御手段Ｃｐによる開度調整において設定適正開度範囲Ｙ内に復帰させることができる。
【００４２】
そして、この設定変更制御の繰り返し間隔である設定インターバル時間Ｔｓ及び各回の設定変更制御での変更幅である設定変更風量Δｑｓｓとして適当な時間及び風量を設定しておくことで、室圧変動に対する開度状態制御手段ｂＣの動作遅れ（機能遅れ）を確実に防止して、室圧変動による室圧調整ダンパＶｐの開度変化に対し開度状態制御手段ｂＣを遅滞なく良好に調整機能させることができる。
【００４３】
また、この設定において設定変更風量Δｑｓｓを適当な小風量に制限して設定することで、その設定変更風量Δｑｓｓだけ定風量装置ｑＣの設定風量ｑｓｓを変更することが原因で生じる副次的な室圧変動を効果的に防止することができ、これらのことで、室圧変動で設定適正開度範囲Ｙから逸脱した室圧調整ダンパＶｐの開度ｂを遅れなくかつ安定的な状態で円滑に設定適正開度範囲Ｙ内に復帰させることができる。
【００４４】
本発明の第７特徴構成は、第１〜第５特徴構成のいずれかの実施において、
前記開度状態制御手段は、
前記室圧調整ダンパの検出開度が設定適正開度範囲の上限値より大きいとき、それら検出開度と上限値との差に応じた変更風量だけ前記定風量装置の設定風量を減少側へ連続的に変更し、
かつ、前記室圧調整ダンパの検出開度が設定適正開度範囲の下限値より小さいとき、それら検出開度と下限値との差に応じた変更風量だけ前記定風量装置の設定風量を増大側へ連続的に変更する構成にしてある点にある。
【００４５】
この構成によれば（図１参照）、何らかの原因で室圧変動が生じて室圧制御手段ｐＣによる開度調整で室圧調整ダンパＶｐの開度ｂが設定適正開度範囲Ｙを逸脱することに対し、その逸脱量に応じた変更風量Δｑｓｓ′だけ定風量装置ｑＣの設定風量ｑｓｓをダンパ開度復帰側へ連続的に変更するから、設定適正開度範囲Ｙから逸脱した室圧調整ダンパＶｐの開度ｂを室圧制御手段ｐＣによる開度調整において一層速やかかつ的確に設定適正開度範囲Ｙ内に復帰させることができる。
【００４６】
そして、このように定風量装置ｑＣの設定風量ｑｓｓを連続的に変更する際の変更速度（即ち、設定風量ｑｓｓの単位時間当たりの変更量）を適当な緩速度に制限して設定しておくことで、その設定風量ｑｓｓの変更が原因で生じる副次的な室圧変動も効果的に防止することができる。
【００４７】
本発明の第８特徴構成は、第７特徴構成の実施において、
対象室における総給排気風量差と前記室圧調整ダンパの開度との相関を記憶する記憶手段を装備し、
前記開度状態調整手段は、この記憶手段が記憶する前記相関において前記室圧調整ダンパの検出開度に対応する前記総給排気風量差と等しい風量を前記変更風量とする構成にしてある点にある。
【００４８】
この構成によれば（図１参照）、何らかの原因で室圧変動が生じて室圧制御手段ｐＣによる開度調整で室圧調整ダンパＶｐの開度ｂが設定適正開度範囲Ｙを逸脱することに対し、対象室における総給排気風量差ΔＱｓｒと室圧調整ダンパＶｐの開度ｂの相関Ｌにおいて室圧調整ダンパＶｐの検出開度ｂに対応する総給排気風量差ΔＱｓｒと等しい変更風量Δｑｓｓ′だけ定風量装置ｑＣの設定風量ｑｓｓをダンパ開度復帰側（即ち、総給排気風量差ΔＱｓｒの解消側）へ変更するから、設定適正開度範囲Ｙから逸脱した室圧調整ダンパＶｐの開度ｂを室圧制御手段ｐＣによる開度調整においてさらに速やかかつ的確に設定適正開度範囲Ｙ内に復帰させることができる。
【００４９】
なお、対象室１における総給排気風量差ΔＱｓｒとは、前記の副給気手段ｋｓや副排気手段ｋｒがある場合（図１参照）、それら副給気手段ｋｓによる給気風量ｑｓ′や副排気手段ｋｒによる排気風量ｑｒ′を含む対象室全体としての給気風量Ｑｓと排気風量Ｑｒとの差であり、また、この場合、副給気手段ｋｓによる給気風量ｑｓ′と副排気手段ｋｒによる排気風量ｑｒ′とは互いに異なる風量であってもよく、さらにまた、副給気手段ｋｓと副排気手段ｋｒとのいずれか一方のみを対象室１に装備するシステム構成であってもよい。
【００５０】
本発明の第９特徴構成は第８特徴構成の室圧制御システムの運転方法に係り、その特徴は、
前記定風量装置及び前記室圧調整ダンパにより風量調整される対象室への給気及び対象室からの排気とは別に、対象室へ所定風量を給気する副給気手段又は対象室から所定風量を排気する副排気手段を備えるシステム構成において、
これら副給気手段又は副排気手段を運転したときに対象室で生じる総給排気風量差及びその時の前記室圧調整ダンパの開度を測定し、
その測定結果に基づき求めた対象室における総給排気風量差と前記室圧調整ダンパの開度との相関を前記記憶手段に記憶させておく点にある。
【００５１】
つまり、この構成によれば（図１参照）、副給気手段ｋｓ又は副排気手段ｋｒの運転により対象室全体としての給気風量Ｑｓと排気風量Ｑｒとに差ΔＱｓｒを生じさせて、その差ΔＱｓｒの測定値とその時の室圧調整ダンパＶｐの測定開度ｂとに基づき、それら総給排気風量差ΔＱｓｒとダンパ開度ｂとの相関Ｌを求めるから、対象室全体としての給気風量Ｑｓと排気風量Ｑｒとに差を生じさせる専用手段の装備を不要にすることができ、また、副給気手段ｋｓによる給気風量ｑｓ′の測定や副排気手段ｋｒによる排気風量ｑｒ′の測定だけで対象室１における総給排気風量差ΔＱｓｒを知ることもでき、これらのことから、上記相関Ｌを容易に求めることができて第８特徴構成の実施を容易にすることができる。
【００５２】
なお、給排気風量ｑｓ′，ｑｒ′を等しくした副給気手段ｋｓと副排気手段ｋｒとを連動手段１０により同期させて運転する場合でも、それら給気風量ｑｓ′と排気風量ｑｒ′との間には一般に誤差Δｑｓｒ′があることが多い、従って、上記構成の実施においては、給排気風量ｑｓ′，ｑｒ′を等しくした副給気手段ｋｓと副排気手段ｋｒとを連動手段１０により同期させて運転することで上記総給排気風量差ΔＱｓｒを生じさせる実施形態を採用してもよい。
【図面の簡単な説明】
【００５３】
【図１】空調設備の設備構成図
【図２】給気ダンパ開度の説明図
【図３】室圧調整ダンパ開度の説明図
【図４】設定変更制御のフローチャート
【図５】別実施形態における室圧調整ダンパ開度の説明図
【図６】別実施形態における設定変更制御のフローチャート
【図７】その他の別実施形態を示す室圧制御システムのブロック図
【発明を実施するための形態】
【００５４】
図１は空調設備を示し、１はクリーンルームなどの対象室、２は給気ファンＦｓの吐出側に接続した給気路、３は排気ファンＦｒの吸入側に接続した排気路であり、対象室１は分岐給気路２ａを介して給気路２に接続するとともに、分岐排気路３ａを介して排気路３に接続してある。
【００５５】
また、給気ファンＦｓの吸入側には、給気路２を通じて対象室１に供給する空気を温湿度調整する空調機４を装備してある。
【００５６】
なお、図１では１つの対象室１のみを示すが、給気路２及び排気路３には、複数の対象室１を夫々、分岐給気路２ａ及び分岐排気路３ａを介して並列的に接続してあり、以下の機器装備は各対象室１についてほぼ共通する。
【００５７】
Ｖｑは分岐給気路２ａに介装した給気風量調整用の給気ダンパ、５は給気ダンパＶｑにおける通風量ｑｓ（即ち、対象室１に対する給気風量）を検出する風量センサ、６は給気ダンパＶｑを制御する給気側ダンパ制御器であり、これらは対象室１への給気風量ｑｓを設定風量ｑｓｓに調整する定風量装置ｑＣを構成する。
【００５８】
即ち、給気側ダンパ制御器６は、風量センサ５による検出風量ｑｓと中央制御器ＣＣから指定される設定風量ｑｓｓとの偏差Δｑｓに応じ給気ダンパＶｑの開度ａを調整して対象室１に対する給気風量ｑｓを対象室毎の設定風量ｑｓｓに調整する定風量制御を実行する。
【００５９】
Ｖｐは分岐排気路３ａに介装した室圧調整ダンパ、７は対象室１の室圧ｐ（具体的には基準圧力と室内圧力との差圧）を検出する室圧センサ、８は室圧調整ダンパＶｐを制御する排気側ダンパ制御器であり、この排気側ダンパ制御器８は、室圧調整ダンパＶｐの開度ｂを調整して対象室１からの排気風量ｑｒを調整することで対象室１の室圧ｐを設定室圧ｐに調整する室圧制御手段ｐＣを構成する。
【００６０】
即ち、排気側ダンパ制御器８は、室圧センサ７による検出室圧ｐと中央制御器ＣＣから指定される設定室圧ｐｓとの偏差Δｐに応じ室圧調整ダンパＶｐの開度ｂを調整して対象室１の室圧ｐを対象室毎の設定室圧ｐｓに調整する室圧調整制御を実行する。
【００６１】
対象室１には、ドラフトチャンバやクリーンベンチなどの局所換気装置に代表される副給排システムＫ１，Ｋ２を装備してあり、これら副給排システムＫ１，Ｋ２は夫々、副給気手段ｋｓと副排気手段ｋｒとを備える構成にしてある。
【００６２】
副給排システムＫ１，Ｋ２夫々の副給気手段ｋｓは、定風量装置ｑＣにより風量調整される対象室１への基本的な給気とは別に、専用給気路９ａに装備の給気弁Ｖａを開弁することで専用給気路９ａを通じて対象室１における所定の一部箇所に対して給気作用する。
【００６３】
また、副給排システムＫ１，Ｋ２夫々の副排気手段ｋｒは、室圧調整ダンパＶｐにより風量調整される対象室１からの基本的な排気とは別に、専用排気路９ｂに装備の排気弁Ｖｂを開弁することで専用排気路９ｂを通じて対象室１における同一部箇所に対して排気作用する。
【００６４】
１０は副給排システムＫ１，Ｋ２の夫々に装備した連動制御器であり、この連動制御器１０は副給気手段ｋｓと副排気手段ｋｒとを同期させて運転及び停止する連動手段として機能する。
【００６５】
具体的には、この連動制御器１０は、対応の副給排システムＫ１，Ｋ２に対する運転指令を受けると、対応システムにおける副給気手段ｋｓの給気弁Ｖａと対応システムにおける副排気手段ｋｓの排気弁Ｖｂとを同期させて所定開度まで開弁させ、これにより、対応システムの副給気手段ｋｓを設定給気風量ｑｓ′で対象室１における所定の一部箇所に対して給気作用させるとともに、それに併行して、その設定給気風量ｑｓと等しい設定排気風量ｑｒ′で対応システムの副排気手段ｋｒを同じ一部箇所に対して排気作用させる。
【００６６】
また、この連動制御器１０は、対応の副給排システムＫ１，Ｋ２に対する停止指令を受けると、対応システムにおける副給気手段ｋｓの給気弁Ｖａと対応システムにおける副排気手段ｋｓの排気弁Ｖｂとを同期させて閉弁させ、これにより、対応システムにおける副給気手段ｋｓの給気作用及び副排気手段ｋｒの排気作用を同時に停止させる。
【００６７】
つまり、副給排システムＫ１，Ｋ２の夫々における副給気手段ｋｓと副排気手段ｋｒとを互いに同じ風量で給排気作用させることで、それら副給排システムＫ１，Ｋ２夫々の運転及び停止にかかわらず、対象室１の給排気風量バランスが保たれて室圧変動が生じないようにしてある。
【００６８】
１１ａは給気路２の風路圧ｆｓ（給気路２の内部気圧）を検出する給気側圧力センサ、１２ａは給気ファンＦｓを制御する給気ファン制御器であり、この給気ファン制御器１２ａは、給気側圧力センサ１１ａによる検出風路圧ｆｓと中央制御器ＣＣから指定される給気側設定風路圧ｆｓｓとの偏差Δｆｓに応じインバータ制御により給気ファンＦｓの出力を調整して給気路２の風路圧ｆｓを給気側設定風路圧ｆｓｓに調整する給気ファン制御を実行する。
【００６９】
また、１１ｂは排気路３の風路圧ｆｒ（排気路３の内部気圧）を検出する排気側圧力センサ、１２ｂは排気ファンＦｒを制御する排気ファン制御器であり、この排気ファン制御器１２ｂは、排気側圧力センサ１１ｂによる検出風路圧ｆｒと中央制御器ＣＣから指定される排気側設定風路圧ｆｒｓとの偏差Δｆｒに応じインバータ制御により排気ファンＦｒの出力を調整して排気路３の風路圧ｆｒを排気側設定風路圧ｆｒｓに調整する排気ファン制御を実行する。
【００７０】
１３ａ，１３ｂは中央制御器ＣＣにおける給気側及び排気側の風路圧調整部であり、給気側の風路圧調整部１３ａは、給気路２及び排気路３に対して並列的に接続した複数の対象室１の夫々において、給気側ダンパ制御器６による定風量制御でのダンパ開度調整で給気ダンパＶｑの開度ａが給気側の設定適正開度範囲Ｘ（本例では図２に示す如く上限値ｘｍａｘが１００％開度（全開）より小さく下限値ｘｍｉｎが０％開度（全閉）より大きい所定の中間開度範囲、例えば２５％〜７５％開度範囲）の範囲内に入るように、各対象室１に対する給気ダンパＶｑの検出開度ａ（第１〜第ｎ対象室の給気ダンパ開度ａ１〜ａｎ）に応じて給気側設定風路圧ｆｓｓを変更する給気側の風路圧調整制御を実行する。
【００７１】
即ち、この給気側風路圧調整部１３ａと給気ファン制御器１２ａとは、給気ダンパＶｑの検出開度ａに基づき給気ファンＦｓの出力を調整して給気路２の風路圧ｆｓを調整することで、給気側ダンパ制御器６による定風量制御でのダンパ開度調整において給気ダンパＶｑの開度ａが給気側の設定適正開度範囲Ｘ内に調整される状態にする給気側の風路圧制御手段ｆｓＣを構成する。
【００７２】
排気側の風路圧調整部１３ｂは、給気側と同様、給気路２及び排気路３に対して並列的に接続した複数の対象室１の夫々において、排気側ダンパ制御器８による室圧調整制御でのダンパ開度調整において室圧調整ダンパＶｐの開度ｂが排気側の設定適正開度範囲Ｙ（本例では図３に示す如く上限値ｙｍａｘが１００％開度（全開）より小さく下限値ｙｍｉｎが０％開度（全閉）より大きい所定の中間開度範囲、例えば２５％〜７５％開度範囲）の範囲内に入るように、各対象室１に対する室圧調整ダンパＶｐの検出開度ｂ（第１〜第ｎ対象室の給気ダンパ開度ｂ１〜ｂｎ）に応じて排気側設定風路圧ｆｒｓを変更する排気側の風路圧調整制御を実行する。
【００７３】
即ち、この排気側風路圧調整部１３ｂと排気ファン制御器１２ｂとは、室圧調整ダンパＶｐの検出開度ｂに基づき排気ファンＦｒの出力を調整して排気路３の風路圧ｆｒを調整することで、排気側ダンパ制御器８による室圧調整御でのダンパ開度調整において室圧調整ダンパＶｐの開度ｂが排気側の設定適正開度範囲Ｙ内に調整される状態にする排気側の風路圧制御手段ｆｒＣを構成する。
【００７４】
つまり、これら風路圧調整制御により複数の対象室１の夫々において給気ダンパＶｑの開度ａ及び室圧調整ダンパＶｐの開度ｂが定風量制御上や室圧調整制御上で上記の如き設定適正開度範囲Ｘ，Ｙ内に入るようにすることで、各対象室１に対する定風量制御及び室圧調整制御を感度面、精度面並びに安定性の面で良好に行なわれるようにする。
【００７５】
給気側の風路圧調整制御において給気側の風路圧調整部１３ａは、具体的には、各対象室１に対する給気ダンパＶｑの検出開度ａ（ａ１〜ａｎ）のうち最大のものが給気側の設定適正開度範囲Ｘを大開度側に逸脱しているとき給気側設定風路圧ｆｓｓを上昇側に変更し、また、各対象室１に対する給気ダンパＶｑの検出開度ａ（ａ１〜ａｎ）のうち最小のものが給気側の設定適正開度範囲Ｘを小開度側に逸脱しているとき給気側設定風路圧ｆｓｓを低下側に変更し、そしてまた、各対象室１に対する給気ダンパＶｑの検出開度ａ（ａ１〜ａｎ）が全て給気側の設定適正開度範囲Ｘの範囲内にあるときには給気側設定風路圧ｆｓｓを現状値に維持する。
【００７６】
即ち、各対象室１に対する給気ダンパＶｑの検出開度ａ（ａ１〜ａｎ）のうち最大のものが給気側の設定適正間開度範囲Ｘを大開度側に逸脱しているときは、給気側設定風路圧ｆｓｓを上昇側へ変更することにより、給気ファン制御上で給気ファンＦｓの出力を上昇側に調整させ、この上昇側へのファン出力調整に対して定風量風制御上で給気ダンパＶｑの夫々が閉じ側に開度調整されるようにする。
【００７７】
また逆に、各対象室１に対する給気ダンパＶｑの検出開度ａ（ａ１〜ａｎ）のうち最小のものが給気側の設定適正開度範囲Ｘを小開度側に逸脱しているときは、給気側設定風路圧ｆｓｓを低下側へ変更することにより、給気ファン制御上で給気ファンＦｓの出力を低下側に調整させ、この低下側へのファン出力調整に対して定風量制御上で給気ダンパＶｑの夫々が開き側に開度調整されるようにし、これにより、各対象室１に対する給気ダンパＶｑの開度ａ（ａ１〜ａｎ）が全て給気側の設定適正開度範囲Ｘに入るようにする。
【００７８】
これと同様、排気側の風路圧調整制御において排気側の風路圧調整部１３ｂは、具体的には、各対象室１に対する室圧調整ダンパＶｐの検出開度ｂ（ｂ１〜ｂｎ）のうち最大のものが排気側の設定適正開度範囲Ｙを大開度側に逸脱しているとき排気側設定風路圧ｆｒｓを低下側に変更し、また、各対象室１に対する室圧調整ダンパＶｐの検出開度ｂ（ｂ１〜ｂｎ）のうち最小のものが排気側の設定適正開度範囲Ｙを小開度側に逸脱しているとき排気側設定風路圧ｆｒｓを上昇側に変更し、そしてまた、各対象室１に対する室圧調整ダンパＶｐの検出開度ｂ（ｂ１〜ｂｎ）が全て排気側の設定適正開度範囲Ｙの範囲内にあるときには排気側設定風路圧ｆｒｓを現状値に維持する。
【００７９】
即ち、各対象室１に対する室圧調整ダンパＶｐの検出開度ｂ（ｂ１〜ｂｎ）のうち最大のものが排気側の設定適正開度範囲Ｙを大開度側に逸脱しているときは、排気側設定風路圧ｆｒｓを低下側へ変更することにより、排気ファン制御上で排気ファンＦｒの出力を上昇側に調整させ、この上昇側へのファン出力調整に対して室圧調整制御上で室圧調整ダンパＶｐの夫々が閉じ側に開度調整されるようにする。
【００８０】
また逆に、各対象室１に対する室圧調整ダンパＶｐの検出開度ｂ（ｂ１〜ｂｎ）のうち最小のものが排気側の設定適正開度範囲Ｙを小開度側に逸脱しているときは、排気側設定風路圧ｆｒｓを上昇側へ変更することにより、排気ファン制御上で排気ファンＦｒの出力を低下側に調整させ、この低下側へのファン出力調整に対して室圧調整制御上で室圧調整ダンパＶｐの夫々が開き側に開度調整されるようにし、これにより、各対象室１に対する室圧調整ダンパＶｐの開度ｂ（ｂ１〜ｂｎ）が全て排気側の設定適正開度範囲Ｙに入るようにする。
【００８１】
これら給気側の風路圧制御手段ｆｓＣ及び排気側の風路圧制御手段ｆｒＣは、いずれも、給気路２及び排気路３に並列接続された複数の対象室１に対して包括的かつ連係的に機能させるものであるが、この空気設備の室圧制御システムでは、これら風路圧制御手段ｆｓＣ，ｆｒＣに加えて、各対象室１に対する室圧調整ダンパＶｐの開度状態を室圧制御手段ｐＣによる開度調整上で個別に調整する開度状態調整手段ｂＣを中央制御器ＣＣに装備してある。
【００８２】
この開度状態調整手段ｂＣは、対象室１毎に、室圧調整ダンパＶｐの検出開度ｂに基づいて定風量装置ｑＣの設定風量ｑｓｓを補正的に変更することで室圧制御手段ｐＣ（排気側ダンパ制御器８）によるダンパ開度調整において室圧調整ダンパＶｐの開度ｂが設定適正開度範囲Ｙ内に調整される状態にするものであり、具体的には、各対象室１の定風量装置ｑＣに対して個別に次の（♯１）〜（♯３）の設定変更制御を設定インターバル時間Ｔｓごとに繰り返して実行する（図３，図４参照）。
【００８３】
（♯１）室圧調整ダンパＶｐの検出開度ｂが設定適正開度範囲Ｙの上限値ｙｍａｘより大きい（ｂ＞ｙｍａｘ）とき、その対象室１に対する定風量装置ｑＣの設定風量ｑｓｓを設定変更風量Δｑｓｓだけ減少側へ変更（ｑｓｓ＝ｑｓｓ−Δｑｓｓ）する。
【００８４】
（♯２）室圧調整ダンパＶｐの検出開度ｂが設定適正開度範囲Ｙの下限値ｙｍｉｎより小さい（ｂ＜ｙｍｉｎ）とき、その対象室１に対する定風量装置ｑＣの設定風量ｑｓｓを設定変更風量Δｑｓｓだけ増大側へ変更（ｑｓｓ＝ｑｓｓ＋Δｑｓｓ）する。
【００８５】
（♯３）室圧調整ダンパＶｐの検出開度ｂが設定適正開度範囲Ｙ内にあるとき、その対象室１に対する定風量装置ｑＣの設定風量ｑｓｓを現状値に維持する。
【００８６】
つまり、いずれかの対象室１において室圧調整ダンパＶｐの検出開度ｂが設定適正開度範囲Ｙを大開度側に逸脱（ｂ＞ｙｍａｘ）したときには、その対象室１に対する定風量装置ｑＣの設定風量ｑｓｓを設定インターバル時間Ｔｓごと設定変更風量Δｑｓｓずつ減少側（即ち、室圧低下側）へ変更して、その対象室１に対する給気風量ｑｓを漸次的に減少させることで、その対象室１の室圧制御手段ｐＣ（排気側ダンパ制御器８）による室圧調整制御において、その対象室１の室圧調整ダンパＶｐが閉じ側へ漸次的に開度調整されるようにする。
【００８７】
また、いずれかの対象室１において室圧調整ダンパＶｐの検出開度ｂが設定適正開度範囲Ｙを小開度側に逸脱（ｂ＜ｙｍｉｎ）したときには、その対象室１に対する定風量装置ｑＣの設定風量ｑｓｓを設定インターバル時間Ｔｓごと設定変更風量Δｑｓｓずつ増大側（即ち、室圧上昇側）へ変更して、その対象室１に対する給気風量ｑｓを漸次的に増大させることで、その対象室１の室圧制御手段ｐＣ（排気側ダンパ制御器８）による室圧調整制御において、その対象室１の室圧調整ダンパＶｐが開き側へ漸次的に開度調整されるようにし、これらのことで、排気側の風路圧制御手段ｆｒＣのみにより室圧調整ダンパＶｐの開度状態を調整するのに比べ、設定適正開度範囲Ｙを逸脱した室圧調整ダンパＶｐの開度ｂが設定適正開度範囲Ｙ内に速やかに復帰するようにしてある。
【００８８】
なお、設定インターバル時間Ｔｓは、室圧変動による室圧調整ダンパＶｐの開度変化に対し開度状態制御手段ｂＣを遅滞なく調整機能させるのに十分な短い時間（例えば１０秒〜６０秒）を試験運転などに基づいて設定してあり、また、設定変更風量Δｑｓｓとしては、その設定変更風量Δｑｓｓだけ定風量装置ｑＣの設定風量ｑｓｓを変更することが原因で生じる副次的な室圧変動を防止するのに十分な小風量を同じく試験運転などに基づいて設定してある。
【００８９】
〔別実施形態〕
次に本発明の別実施形態を列記する。
上述の実施形態において開度状態調整手段ｂＣは、室圧調整ダンパＶｐの検出開度ｂが設定適正開度範囲Ｙから逸脱しているとき、定風量装置ｑＣの設定風量ｑｓｓを設定変更風量Δｑｓｓだけ変更する設定変更制御を設定インターバル時間Ｔｓごとに繰り返す構成にしたが、これに代え、開度状態調整手段ｂＣは、室圧調整ダンパＶｐの検出開度ｂが設定適正開度範囲Ｙの上限値ｙｍａｘより大きいとき、それら検出開度ｂと上限値ｙｍａｘとの差に応じた変更風量Δｑｓｓ′だけ定風量装置ｑＣの設定風量ｑｓｓを減少側へ連続的に変更し、かつ、室圧調整ダンパＶｐの検出開度ｂが設定適正開度範囲Ｙの下限値ｙｍｉｘより小さいとき、それら検出開度ｂと下限値ｙｍｉｘとの差に応じた変更風量Δｑｓｓ′だけ定風量装置ｑＣの設定風量ｑｓｓを増大側へ連続的に変更する構成にしてもよい。
【００９０】
この場合、図５に示す如く、室圧調整ダンパＶｐの開度調整範囲（０％開度〜１００％開度）のうち設定適正開度範囲Ｙを除く部分を複数の開度領域Ｙ１〜Ｙ６に区分して、それら開度領域Ｙ１〜Ｙ６ごとに変更風量Δｑｓｓ１〜Δｑｓｓ６を設定しておき、これにより、室圧変動で室圧調整ダンパＶｐの開度ｂが設定適正開度範囲Ｙから逸脱していずれかの開度領域Ｙ１〜Ｙ６に位置する状態になったとき（図６参照）、室圧調整ダンパＶｐの開度ｂが位置する状態になった開度領域Ｙ１〜Ｙ６を判定して、該当する開度領域Ｙ１〜Ｙ６の設定変更風量Δｑｓｓ１〜Δｑｓｓ６だけ定風量装置ｑＣの設定風量ｑｓｓをダンパ開度復帰側へ連続的に変更するようにしてもよい。
【００９１】
あるいはまた、室圧調整ダンパＶｐの単位開度あたりの変更風量Δｑｓｓ″を設定しておき、これにより、室圧変動で室圧調整ダンパＶｐの開度ｂが設定適正開度範囲Ｙから逸脱したとき、その設定適正開度範囲Ｙの上下限値ｙｍａｘ、ｙｍｉｎと室圧調整ダンパＶｐの開度ｂとの差分（又は、設定適正開度範囲Ｙの中心値ｙｃと室圧調整ダンパＶｐの開度ｂとの差分）に上記単位開度あたりの設定変更風量Δｑｓｓ″を乗じた風量だけ定風量装置ｑＣの設定風量ｑｓｓを変更するようにしてもよい。
【００９２】
室圧調整ダンパＶｐの検出開度ｂと設定適正開度範囲Ｙの上下限値ｙｍａｘ，ｙｍｉｎとの差に応じた変更風量Δｑｓｓ′だけ定風量装置ｑＣの設定風量ｑｓｓをダンパ開度復帰側へ連続的に変更する構成を採用する場合、対象室１における総給排気風量差ΔＱｓｒと室圧調整ダンパＶｐの開度ｂとの相関Ｌを記憶する記憶手段を装備し、開度状態調整手段ｂＣは、この記憶手段が記憶する相関Ｌにおいて室圧調整ダンパＶｐの検出開度ｂに対応する総給排気風量差ΔＱｓｒと等しい風量を上記変更風量Δｑｓｓ′とする構成にしてもよい。
【００９３】
また、この場合、副給排システムＫ１、Ｋ２の両方の同時運転及び同時停止、副給排システムＫ１だけの運転及び停止、副給排システムＫ２だけの運転及び停止など、副給排システムＫ１、Ｋ２夫々の副給気手段ｋｓや副排気手段ｋｒを各種パターンで運転及び停止ときに対象室１で生じる総給排気風量差ΔＱｓｒとその時の室圧調整ダンパＶｐの開度ｂを測定し、その測定結果に基づき求めた対象室１における総給排気風量差ΔＱｓｒと室圧調整ダンパＶｐの開度ｂとの相関Ｌを記憶手段に記憶させておくようにしてもよい。
【００９４】
前述の実施形態では、給気側に定風量装置ｑＣを装備し、排気側に室圧調整ダンパＶｐを装備する例を示したが、これに代え、図７示す如く、排気側に定風量装置ｑＣを装備し、給気側に室圧調整ダンパＶｐを装備するシステム構成、即ち、対象室１からの排気風量ｑｒを設定風量ｑｒｓに調整する定風量装置ｑＣを設けるとともに、対象室１への給気路２に装備した室圧調整ダンパＶｐの開度を調整して対象室１への給気風量ｑｓを調整することで対象室１の室圧ｐを設定室圧ｐｓに調整する室圧制御手段ｐＣを設けるシステム構成にし、この構成において、室圧調整ダンパＶｐの検出開度ｂに基づいて定風量装置ｑＣの設定風量ｑｒｓを変更することで、室圧制御手段ｐＣによる開度調整において室圧調整ダンパＶｐの開度ｂが設定適正開度範囲Ｙ内に調整される状態にする開度状態制御手段ｂＣを設けるようにしてもよい。
【００９５】
本発明の実施において対象室１は複数室に限らず一室のであってもよい。
【００９６】
対象室１に装備する副給排システムＫは単数あるいは複数のいずれであってもよく、また、副給気手段ｋｓや副排気手段ｋｒの装備がない対象室１であってもよい。
【００９７】
前述の実施形態では、副給気手段ｋｓの専用給気路９ａを定風量装置ｑＣの介装系統である給気路２から分岐し、また、副排気手段ｋｒの専用排気路９ｂを室圧調整ダンパＶｐの介装系統である排気路３から分岐する例を示したが、これに代え、副給気手段ｋｓの専用給気路９ａや副排気手段ｋｒの専用排気路９ｂは、定風量装置ｑＣの介装系統や室圧調整ダンパＶｐの介装系統以外の風路系から延設してもよい。
【００９８】
排気側や給気側の風路圧制御手段ｆｓＣ，ｆｒＣを省略したシステム構成を採用してもよい。
【００９９】
室圧調整ダンパＶｐの設定適正開度範囲Ｙは、室圧調整ダンパＶｐの特性に応じて適宜決定すればよく、その設定適正開度範囲Ｙは、室圧調整ダンパＶｐの開度調整範囲のうちの一部範囲であれば、１００％開度や０％開度を含む範囲であってもよい。
【産業上の利用可能性】
【０１００】
本発明は、室圧調整を要する各種分野における種々の用途の室空間に対して適用することができる。
【符号の説明】
【０１０１】
１              対象室
ｑｓ            給気風量
ｑｒ            排気風量
ｑｓｓ          設定風量
ｑｒｓ          設定風量
ｑＣ            定風量装置
２              給気路
３              排気路
Ｖｐ            室圧調整ダンパ
ｂ              開度
ｐ              室圧
ｐｓ            設定室圧
ｐＣ            室圧制御手段
Ｙ              設定適正開度範囲
ｂＣ            開度状態制御手段
Ｆｓ            給気ファン
Ｆｒ            排気ファン
ｆｓ            風路圧
ｆｒ            風路圧
ｆｓＣ          風路圧制御手段
ｆｒＣ          風路圧制御手段
ｑｓ′          所定風量
ｑｒ′          所定風量
ｋｓ            副給気手段
ｋｒ            副排気手段
１０            連動手段
ｙｍａｘ        上限値
Δｑｓｓ        設定変更風量だ
ｙｍｉｎ        下限値
Ｔｓ            設定インターバル時間
Δｑｓｓ′      変更風量
ΔＱｓｒ        総給排気風量差
Ｌ              相関
【図１】
0005988551.tif 000002
【図２】
0005988551.tif 000003
【図３】
0005988551.tif 000004
【図４】
0005988551.tif 000005
【図５】
0005988551.tif 000006
【図６】
0005988551.tif 000007
【図７】
0005988551.tif 000008